(57)【要約】【課題】既設のパラペット上に設けられている笠木をそのまま利用できるようにし、材料の無駄を無くして工事費の低減を図るようにする。【解決手段】建物の屋上のパラペット１の幅よりもやや大き目に作られてパラペット１上にねじ止めされた笠木ブラケットに係止されて取り付けられる笠木３と、この笠木３の下側で笠木ブラケットから位置をずらしてパラペット１上にねじ止めされ上面が笠木３の裏面に当接するように取り付けられるベースプレート１２と、このベースプレート１２に頭部２１ａが支持され軸部２１ｂが笠木３の孔部を上向きに貫通するボルト２１と、笠木３の孔部から上方に突出する軸部２１ｂに孔部１３ａが嵌合し軸部２１ｂにナット２２を螺合させることにより笠木３上に取り付けられる雪庇切笠木用のブラケット１３と、笠木３の幅方向中間部よりも後側に載せられるように前記ブラケット１３に下端部が支持された雪庇切笠木８とからなる。【選択図】　　　　図１
2004131924.tif 000002
【特許請求の範囲】
【請求項１】
建物の屋上のパラペットの幅よりもやや大き目に作られてパラペット上にねじ止めされた笠木ブラケットに係止されて取り付けられる笠木と、この笠木の下側で前記笠木ブラケットから位置をずらしてパラペット上にねじ止めされ上面が笠木の裏面に当接するように取り付けられるベースプレートと、このベースプレートに頭部が支持され軸部が前記笠木の孔部を上向きに貫通するボルトと、前記笠木の孔部から上方に突出する軸部に孔部が嵌合し軸部にナットを螺合させることにより前記笠木上に取り付けられる雪庇切笠木用のブラケットと、前記笠木上に載せられるように前記雪庇切笠木用のブラケットに下端部が支持された雪庇切笠木とからなることを特徴とする雪庇切笠木の取り付け部構造。
【請求項２】
雪庇切笠木は鉛直方向に向く外壁板と、この外壁板の上端から下向きに傾斜する内壁板とを備えて内部が空洞に形成されていることを特徴とする請求項１記載の雪庇切笠木の取り付け部構造。
【発明の詳細な説明】
【０００１】
【発明の属する技術分野】
本発明は、建物の屋上の周囲に設けられるパラペットの上端に設けられる雪庇切笠木の取り付け部構造に関するものである。
【０００２】
【従来の技術】
従来のこの種雪庇切笠木としては、例えば特開平１−６１１３２号公報に開示されているように、パラペット天端面の略半分を被覆できる横幅を有する平板状カバー材と、他半分を被覆できる幅を有する断面三角形状の雪庇カバー材とを設け、この平板状カバー材を受ける第一ホルダーと、雪庇カバー材を受ける台座部を備えた第二ホルダーとを着脱自在に連結してなる連結ホルダーを天端面に跨がせて固着し、上記平板状カバー材を第一ホルダーに被着させ、かつ、上記雪庇カバー材を平板状カバー材の第二ホルダー側端部を含むように第二ホルダーに被着させた構成を有するものが知られている。
【０００３】
【特許文献１】
特開平１−６１１３２号公報
【０００４】
【発明が解決しようとする課題】
しかしながら、上記特開平１−６１１３２号公報に開示されている雪庇切笠木は、雪庇カバー材と、この雪庇カバー材と対をなす平板状カバー材が必要であり、既設のパラペットに対して工事をし直すときは既設のパラペット上に設けられている笠木を取り除いて上記の雪庇カバー材と、この雪庇カバー材と対をなす平板状カバー材を付け直すことになり、既設のパラペット上に設けられている前記笠木を捨てているのが現状で、材料の無駄になるという問題があった。
【０００５】
本発明はこのような課題を解決するもので、既設のパラペットに対して工事をし直すときでも既設のパラペット上に設けられている笠木をそのまま利用できるようにし、材料の無駄を無くして工事費の低減を図るようにすることを目的とするものである。
【０００６】
【課題を解決するための手段】
この課題を解決するために本発明は、建物の屋上のパラペットの幅よりもやや大き目に作られてパラペット上にねじ止めされた笠木ブラケットに係止されて取り付けられる笠木と、この笠木の下側で前記笠木ブラケットから位置をずらしてパラペット上にねじ止めされ上面が笠木の裏面に当接するように取り付けられるベースプレートと、このベースプレートに頭部が支持され軸部が前記笠木の孔部を上向きに貫通するボルトと、前記笠木の孔部から上方に突出する軸部に孔部が嵌合し軸部にナットを螺合させることにより前記笠木上に取り付けられる雪庇切笠木用のブラケットと、前記笠木上に載せられるように前記雪庇切笠木用のブラケットに下端部が支持された雪庇切笠木とからなることを要旨とするものである。また本発明は、雪庇切笠木は鉛直方向に向く外壁板と、この外壁板の上端から下向きに傾斜する内壁板とを備えて内部が空洞に形成されていることを要旨とするものである。
【０００７】
この構成により、既設のパラペットに対して工事をし直すときでも既設のパラペット上に設けられている笠木をそのまま利用でき、材料の無駄を無くして工事費の低減を図ることができる。
【０００８】
【発明の実施の形態】
以下、本発明の一実施の形態について、図面に基づいて説明する。
図１〜図７において、１は鉄筋コンクリート造りの建物の屋上の周囲に設けられるパラペットで、このパラペット１上には鉄製の笠木ブラケット２を介して全長に亘ってアルミ型材からなる笠木３が被せられる。笠木ブラケット２は笠木３の取り付け長さ方向に適当間隔おきにパラペット１にねじ４により固定されている。詳しくは、ねじ４による笠木ブラケット２の取り付け部においてパラペット１には上端面より孔５が穿設され、この孔５に差し込まれた樹脂製のプラグ６に笠木ブラケット２の長孔７を貫通するねじ４を上方からねじ込むことにより笠木ブラケット２がパラペット１に取り付けられる。また、笠木ブラケット２はパラペット１の幅よりもやや大き目に作られて両端の下向きの係止片２ａ，２ｂがパラペット１の内外に突出し、パラペット１の幅よりもやや大き目に作られた笠木３の幅方向両端の板部３ａ，３ｂの下端の係止片３ａ’，３ｂ’が前記係止片２ａ，２ｂに下側から係止するようになっている。なお、笠木ブラケット２は図面に示す実施の形態では長さ方向中間部で２分割されてパラペット１への取り付け時に溝部２ｃ，２ｄで分割部を結合させるようになっている。
【０００９】
以上は従来から知られているパラペット１に対する笠木３の取り付けの説明であるが、本発明はパラペット１の長さ方向全体もしくは必要箇所において前記笠木３上にアルミ型材からなる雪庇切笠木８を設けようとするものである。
【００１０】
この雪庇切笠木８の取り付けについて詳細に述べると、先ず雪庇切笠木８は鉛直方向に向く外壁板９と、この外壁板９の上端から下向きに傾斜する内壁板１０と、この内壁板１０の下端に鉛直方向に向く内壁を形成するために雪庇切笠木８に取り付けられる見切板１１とを備えて内部が空洞に形成され、前記笠木３の幅方向中間部よりも後側部において、後述する専用の鉄製のベースプレート１２と同じく鉄製のブラケット１３により笠木３上に支持されるものである。
【００１１】
前記ベースプレート１２はフラットな板体１４の中央部上面に上面が前記笠木３の傾斜に合わせて傾斜する受座１５を溶接にて一体に設け、板体１４の中央の膨らみ部１４ａを受座１５の裏面に当接させて受座１５を補強している。前記板体１４の受座１５の載置部からずれた位置にある端部に長孔１６が形成されており、ベースプレート１２の取り付け部においてパラペット１に上端面より穿設された孔１７に差し込まれた樹脂製のプラグ１８にベースプレート１２の長孔１６を貫通するねじ１９を上方からねじ込むことによりベースプレート１２がパラペット１に取り付けられるようになっている。なお、ベースプレート１２がパラペット１に取り付けられる際、ベースプレート１２とパラペット１との間には樹脂製の板状のスペーサー２０が差し込まれてベースプレート１２の受座１５の上面と笠木３の裏面との隙間を無くすようにしている。
【００１２】
ところで、このベースプレート１２は前記笠木ブラケット２から位置をずらしてパラペット１上に取り付けられ、板体１４の中央の膨らみ部１４ａ内に頭部２１ａが位置するボルト２１の軸部２１ｂを膨らみ部１４ａおよび受座１５の孔部１４ｂおよび１５ａより笠木３の孔部３ｃを上向きに貫通させている。そして、笠木３の孔部３ｃから上方に突出する軸部２１ｂに前記ブラケット１３の孔部１３ａを嵌合させた状態でブラケット１３を笠木３上に載せ、孔部１３ａから上方に突出する軸部２１ｂにナット２２を螺合させて締め付けることによりブラケット１３が笠木３上に取り付けられることになる。ブラケット１３は笠木３の後端部の上向きに突出した段部３ｄ上に位置する板部１３ｂを後端部の立ち上がり片１３ｃの途中に備え、立ち上がり片１３ｃの上端には爪部１３ｄが形成されている。また、ブラケット１３の前端部には前記雪庇切笠木８の見切板１１の取り付け部における内側に形成されている傾斜板部２３の内面に当接する支持板部１３ｅが形成されている。前記見切板１１は雪庇切笠木８の内壁板１０の下側に形成されている開口部２４に嵌め込まれて開口部２４を閉じるとともに内壁板１０の下端に鉛直方向に向く内壁を形成するものであるが、前記支持板部１３ｅに雪庇切笠木８の傾斜板部２３を当接した状態でビス２５止めした後、見切板１１が開口部２４に嵌め込まれて開口部２４を閉じるものである。雪庇切笠木８の前端部側はこのようにブラケット１３の支持板部１３ｅに傾斜板部２３を当接した状態でビス２５止めされるのであるが、この雪庇切笠木８の前端部側の固定の前に雪庇切笠木８の後端部側において、雪庇切笠木８の外壁板９の下端部近傍内面側で水平に突設した係合片９ａをブラケット１３の前記板部１３ｂと爪部１３ｄとの間に差し込んで係合片９ａの先端を爪部１３ｄに係止させている。ところで、前記開口部２４に嵌め込まれる見切板１１の下端には笠木３上に当接するガスケット２６が取り付けられている。
【００１３】
なお、図面では示されていないが、雪庇切笠木８の長さ方向端部にはカバー材が取り付けられて塞がれるようになっている。
以上のように、本実施の形態は専用のベースプレート１２とブラケット１３を用いてパラペット１の上に被さる笠木３の幅方向中間部よりも後側に載せられるように雪庇切笠木８の取り付けを行なうものであり、例えば新規の建築工事は勿論のこと、既設のパラペットに対して工事をし直すことも可能である。即ち、既設のパラペットに対して工事をし直す場合は、パラペット１上に専用のベースプレート１２を取り付けるために既設のパラペット上に設けられている笠木を一旦取り外し、その笠木をそのまま用いて新規の工事と同様の手順で工事を行なえば良い。
【００１４】
なお、図面に示す実施の形態では雪庇切笠木８は笠木３の幅方向中間部よりも後側に載せられるように取り付けられているが、笠木３の幅方向のほぼ全体に載せられるように構成されていても良い。
【００１５】
【発明の効果】
以上のように本発明によれば、既設のパラペットに対して工事をし直すときでも既設のパラペット上に設けられている笠木をそのまま利用でき、材料の無駄を無くして工事費の低減を図ることができる。
【図面の簡単な説明】
【図１】本発明の一実施の形態における雪庇切笠木の取り付け状態を示す側面断面図である。
【図２】同雪庇切笠木の取り付け状態を示す平面図である。
【図３】同雪庇切笠木の取り付けに使用されるベースプレートの上方からの斜視図である。
【図４】同雪庇切笠木の取り付けに使用されるベースプレートの下方からの斜視図である。
【図５】同ベースプレート取り付け部の平面図である。
【図６】図２のＸ−Ｘ拡大断面図である。
【図７】図２のＹ−Ｙ拡大断面図である。
【符号の説明】
１　　　　　　　　パラペット
２　　　　　　　　笠木ブラケット
２ａ，２ｂ　　　　係止片
３　　　　　　　　笠木
３ａ，３ｂ　　　　板部
３ａ’，３ｂ’　　係止片
３ｃ　　　　　　　孔部
３ｄ　　　　　　　段部
４　　　　　　　　ねじ
５　　　　　　　　孔
６　　　　　　　　プラグ
７　　　　　　　　長孔
８　　　　　　　　雪庇切笠木
９　　　　　　　　外壁板
９ａ　　　　　　　係合片
１０　　　　　　　　内壁板
１１　　　　　　　　見切板
１２　　　　　　　　ベースプレート
１３　　　　　　　　ブラケット
１３ａ　　　　　　　孔部
１３ｂ　　　　　　　板部
１３ｃ　　　　　　　立ち上がり片
１３ｄ　　　　　　　爪部
１３ｅ　　　　　　　支持板部
１４　　　　　　　　板体
１４ａ　　　　　　　膨らみ部
１５　　　　　　　　受座
１６　　　　　　　　長孔
１７　　　　　　　　孔
１８　　　　　　　　プラグ
１９　　　　　　　　ねじ
２０　　　　　　　　スペーサー
２１　　　　　　　　ボルト
２１ａ　　　　　　　頭部
２１ｂ　　　　　　　軸部
２２　　　　　　　　ナット
２３　　　　　　　　傾斜板部
２４　　　　　　　　開口部
２５　　　　　　　　ビス
【図１】
2004131924.tif 000003
【図２】
2004131924.tif 000004
【図３】
2004131924.tif 000005
【図４】
2004131924.tif 000006
【図５】
2004131924.tif 000007
【図６】
2004131924.tif 000008
【図７】
2004131924.tif 000009